(57)【要約】      （修正有）【課題】デジタルオーディオミキサのパラメータ調整において、コストをかけることなく、わかりやすい操作方法で、パラメータ値の微調整と粗調整とを行える装置を提供する。【解決手段】パラメータ表示と操作入力とが可能なタッチ式ディスプレイを備え、処理対象のパラメータのアイコンがタッチ中であるか否かを判断し（Ｓ２，Ｓ３）、タッチ操作中の場合は、微調整用の第１分解能に従って、パラメータの値を微調整し（Ｓ４）、他方、タッチ操作中でない場合は、粗調整用の第２分解能に従って、操作量に基づくパラメータの値の調整量を決定し、決定した調整量に応じて、該パラメータの値を粗調整する（Ｓ５）調整手段を備える。【選択図】図７
2013162175.tif 000002
【特許請求の範囲】
【請求項１】
パラメータを表すパラメータ要素を画面に表示すると共に、該画面上で前記パラメータ要素に接触するタッチ操作による入力が可能なタッチ式ディスプレイと、
前記パラメータ要素に該当するパラメータを操作対象とする操作子と、
前記操作子が操作されたときに、その操作子の操作対象のパラメータに該当するパラメータ要素がタッチ操作中か否かを判断する判断手段と、
前記判断手段によりタッチ操作中と判断した場合は、第１分解能に従って、前記操作子の操作量に基づくパラメータの値の調整量を決定し、決定した調整量に応じて、該操作子の操作対象のパラメータの値を調整し、他方、該判断手段によりタッチ操作中でないと判断した場合は、第２分解能に従って、前記操作子の操作量に基づくパラメータの値の調整量を決定し、決定した調整量に応じて、該操作子の操作対象のパラメータの値を調整する調整手段
を備えるパラメータ調整装置。
【請求項２】
パラメータを表すパラメータ要素を画面に表示すると共に、該画面上で前記パラメータ要素に接触するタッチ操作による入力が可能なタッチ式ディスプレイと、前記パラメータ要素に該当するパラメータを操作対象とする操作子とを具備するパラメータ調整装置を制御するコンピュータに、
前記操作子が操作されたときに、その操作子の操作対象のパラメータに該当するパラメータ要素がタッチ操作中か否かを判断する判断ステップと、
前記判断手段によりタッチ操作中と判断した場合は、第１分解能に従って、前記操作子の操作量に基づくパラメータの値の調整量を決定し、決定した調整量に応じて、該操作子の操作対象のパラメータの値を調整し、他方、該判断手段によりタッチ操作中でないと判断した場合は、第２分解能に従って、前記操作子の操作量に基づくパラメータの値の調整量を決定し、決定した調整量に応じて、該操作子の操作対象のパラメータの値を調整する調整ステップ
を実行させるためのプログラム。
【発明の詳細な説明】
【技術分野】
【０００１】
この発明は、物理的操作子の操作量に応じてパラメータの値を調整するパラメータ調整装置に関する。
【背景技術】
【０００２】
従来、物理的操作子の操作量に応じてパラメータの値を調整するデジタルオーディオミキサにおいて、操作子の操作量に対するパラメータの値の調整量を決める分解能として、粗調整用と微調整用との２通りの分解能を用意しておき、粗調整と微調整とを使い分けてパラメータの値を調整することが知られていた。
【０００３】
簡単且つわかりやすい操作方法で、粗調整用の分解能と微調整用の分解能とを使い分ける工夫として、例えば下記特許文献１があった。特許文献１の技術には、回転操作されるノブ操作子（ノブ）が軸方向への押し込み操作可能なプッシュ式ノブにより構成され、ユーザがプッシュ式ノブを押し込まずに回転操作したときには、粗調整用の粗い分解能を用いてノブの回転操作量に対してパラメータの値を大きく変化させてパラメータの値を粗調整し、他方、ユーザがプッシュ式ノブを押し込みつつ回転操作したときには、微調整用の細かい分解能を用いてノブの回転操作量に対してパラメータの値を小さく変化させてパラメータの値を微調整することが開示されている。
【先行技術文献】
【特許文献】
【０００４】
【特許文献１】特開２００６‐２７９５４９号公報
【０００５】
しかし、上記の特許文献１の技術は、ノブをプッシュ式ノブにより構成しなければならず、プッシュ機能を持たない通常のノブと比べてコストがかかってしまうという問題がある。
【発明の概要】
【発明が解決しようとする課題】
【０００６】
本発明は上述の点に鑑みてなされたもので、物理的操作子の操作量に応じてパラメータの値を調整するパラメータ調整装置において、コストをかけることなく、わかりやすい操作方法で、２通りの分解能を使い分けて、パラメータの値を調整できるようにしたパラメータ調整装置を提供することを目的とする。
【課題を解決するための手段】
【０００７】
この発明は、パラメータを表すパラメータ要素を画面に表示すると共に、該画面上で前記パラメータ要素に接触するタッチ操作による入力が可能なタッチ式ディスプレイと、前記パラメータ要素に該当するパラメータを操作対象とする操作子と、前記操作子が操作されたときに、その操作子の操作対象のパラメータに該当するパラメータ要素がタッチ操作中か否かを判断する判断手段と、前記判断手段によりタッチ操作中と判断した場合は、第１分解能に従って、前記操作子の操作量に基づくパラメータの値の調整量を決定し、決定した調整量に応じて、該操作子の操作対象のパラメータの値を調整し、他方、該判断手段によりタッチ操作中でないと判断した場合は、第２分解能に従って、前記操作子の操作量に基づくパラメータの値の調整量を決定し、決定した調整量に応じて、該操作子の操作対象のパラメータの値を調整する調整手段を備えるパラメータ調整装置である。
【発明の効果】
【０００８】
この発明によれば、タッチ式ディスプレイに表示されたパラメータ要素が示すパラメータの値を操作子の操作量に応じて調整するパラメータ調整装置において、操作子の操作対象のパラメータに該当するパラメータ要素をタッチ操作しつつ操作子を操作したときには、第１分解能に従って決定した調整量に応じて操作対象のパラメータの値を調整でき、他方、操作子の操作対象のパラメータに該当するパラメータ要素をタッチ操作せずに操作子を操作したときには、第２分解能に従って決定した調整量に応じて操作対象のパラメータの値を調整できる構成により、格別のコストをかけることなく、感覚的にわかりやすい操作方法で、第１分解能と第２分解能とを使い分けて、パラメータの値を調整できるという優れた効果を奏する。
【図面の簡単な説明】
【０００９】
【図１】本発明のパラメータ調整装置を適用したデジタルオーディオミキサの電気的ハードウェア構成を示すブロック図。
【図２】図１のミキサにおける音響信号処理の構成を説明するブロック図。
【図３】図１のミキサの操作パネル構成を説明する図。
【図４】メイン画面の構成例。
【図５】セレクテッドチャンネル画面の構成例。
【図６】タッチ操作に応じた処理のフローチャート。
【図７】ノブの操作に応じた処理のフローチャート。
【発明を実施するための形態】
【００１０】
以下に、本発明のパラメータ調整装置を適用したデジタルオーディオミキサの一実施形態について添付図面を参照して説明する。
【００１１】
図１は、デジタルオーディオミキサ（ミキサ）１の電気的ハードウェア構成を示すブロック図である。ミキサ１は、ＣＰＵ（Central Processing Unit、中央処理装置）１０、フラッシュメモリ１１、ＲＡＭ（Random Access Memory、ランダムアクセスメモリ）１２、波形入出力インターフェース（波形Ｉ／Ｏ）１３、信号処理部（ＤＳＰ（Digital Signal Processing）部）１４、表示器１５、操作子１６、及び、その他インターフェース（その他Ｉ／Ｏ）１７を備え、各構成要素がバス１８を介して接続される。
【００１２】
ＣＰＵ１０は、フラッシュメモリ１１又はＲＡＭ１２に記憶された各種のプログラムを実行して、ミキサ１の全体動作を制御する。フラッシュメモリ１１は、ＣＰＵ１０が実行する各種のプログラムや各種のデータなどを記憶する。フラッシュメモリ１１には、音響信号処理を制御する全てのパラメータの現在値（カレントデータ）を記憶するカレントメモリが設けられている。ＲＡＭ１２は、ＣＰＵ１０が実行するプログラムのロード領域やワーク領域に使用する。
【００１３】
波形Ｉ／Ｏ１３は、オーディオ信号を入出力するためのインターフェースであり、図中の矢印で示すように、アナログオーディオ信号を入力する複数の入力ポート、アナログオーディオ信号を出力する複数の出力ポート、及び、デジタルオーディオ信号を入出力するデジタル入出力（複数の入力ポート及び複数の出力ポート）を含む。波形Ｉ／Ｏ１３は、さらに、アナログデジタル変換（ＡＤ変換）、デジタルアナログ変換（ＤＡ変換）、及びデジタル変換（フォーマット変換）を行うための機構を含む。  
【００１４】
ＤＳＰ部１４は、ＣＰＵ１０の指示に基づいて各種のマイクロプログラムを実行することにより、カレントメモリに記憶されている各種のパラメータのカレントデータに基づいて、波形Ｉ／Ｏ１３経由で入力されたオーディオ信号に対して、オーディオミキシングに関する音響信号処理を行い、処理後のオーディオ信号を波形Ｉ／Ｏ１３経由で出力する。なお、音響信号処理とは、オーディオ信号の音量レベル制御、複数のオーディオ信号のミキシング、オーディオ信号への効果付与等である。  
【００１５】
表示器１５及び操作子１６は、ミキサ１の操作パネル上に設けられたユーザインターフェースである。表示器１５は、ＣＰＵ１０からバス１９を介して与えられた表示制御信号に基づいて各種画像や情報を画面に表示でき、且つ、画面に接触するタッチ操作による入力が可能なタッチ式ディスプレイ３０により構成される。操作子１６は、操作パネル上に配置された操作子群である。ＣＰＵ１０は、表示器１５及び操作子１６の操作に応じて、カレントメモリに記憶されているカレントデータを調整する。「カレントデータを調整する」とは、カレントメモリに記憶されている当該操作に該当するパラメータの値を、当該操作に応じた値に変更し、変更後の値をＤＳＰ部１４や表示器１５へ反映することである。
【００１６】
その他Ｉ／Ｏ１７は、例えばＲＳ−４２２、ＵＳＢ（universal serial bus）、或いは、Ethernet（登録商標）規格など、周知の１又は複数の汎用インターフェースを含み、図中の矢印で示すように、その他Ｉ／Ｏ１７に接続された「その他の機器」との間で制御信号や各種データの通信を行う。
【００１７】
図２は、図１のミキサ１における音響信号処理の構成を説明するブロック図であり、複数の矢印はそれぞれ１ｃｈ分のオーディオ信号の流れを示す。図２に示す各部の動作は、主にＣＰＵ１０の処理及びＤＳＰ部１４が実行するマイクロプログラムの処理により実現される。なお、本明細書では「チャンネル」を「ｃｈ」と表記する。
【００１８】
アナログ入力部２０及びデジタル入力部２１は、波形Ｉ／Ｏ１３が実行するオーディオ信号の入力、ＡＤ変換、フォーマット変換などのオーディオ信号入力機能に相当する。入力パッチ２２は、カレントメモリに記憶されている入力パッチデータに基づいて、アナログ入力部２０とデジタル入力部２１に複数ずつ設けられている入力ポートそれぞれを、後段の入力ｃｈ２３のいずれか１つの入力ｃｈに割り当てる。
【００１９】
入力ｃｈ部２３は１２８個の入力ｃｈを持つ。各入力ｃｈ２３は、入力パッチ２２を介して接続された１つの入力ポートから入力されるオーディオ信号に対して、カレントメモリに記憶されている各種パラメータの値に基づき各種の音響信号処理を行い、処理後のオーディオ信号を任意の１又は複数のＭＩＸバス２４へ出力する。
【００２０】
バス部２４は９６本のバス（１〜９６）を持つ。各バス２４は、入力ｃｈ部２３から供給されたオーディオ信号をミキシングし、ミキシング後のオーディオ信号を出力ｃｈ２５へ出力する。出力ｃｈ部２５は、９６本のバス２４のそれぞれに対応する９６個の出力ｃｈを持つ。各出力ｃｈ２５は、対応するバス２４から入力されるオーディオ信号に対して、カレントメモリに記憶されている各種パラメータの値に基づき各種の音響信号処理を行い、処理後のオーディオ信号を出力パッチ２６へ出力する。
【００２１】
出力パッチ部２６は、カレントメモリに記憶されている出力パッチデータに基づいて、各出力ｃｈ２５を、それぞれ、アナログ出力部２７とデジタル出力部２８に複数ずつ設けられている出力ポートのうち任意の１又は複数の出力ポートに割り当てる。アナログ出力部２７及びデジタル出力部２８は、波形Ｉ／Ｏ１３が実行するオーディオ信号のＤＡ変換、フォーマット変換、出力などのオーディオ信号出力機能に相当する。
【００２２】
図３は、ミキサ１の操作パネルの構成を説明する図であって、主要な部分を抽出している。操作パネルには、タッチ式ディスプレイ３０、ｃｈストリップ部３１、セレクテッドｃｈ部３２及びユーザノブ部３３が設けられている。ｃｈストリップ部３１、セレクテッドｃｈ部３２及びユーザノブ部３３は、図１の操作子１６に相当する物理操作子群を、機能・用途別にまとめた領域である。
【００２３】
ｃｈストリップ部３１は、複数個（図では８個）のｃｈストリップ３４を持っており、主に後述するメイン画面４０に表示されたパラメータの値の操作に使われる。ユーザは、図示外の選択スイッチ等を用いて、１２８個の入力ｃｈ２３及び９６個の出力ｃｈ２５うちから、ｃｈストリップ部３１及びメイン画面４０の操作対象ｃｈとなる所望の８つのｃｈを選択できる。８個のｃｈストリップ３４のそれぞれには、ユーザが選択した８つの操作対象ｃｈが１ｃｈずつ割り当てられる。各ｃｈストリップ３４は、それぞれ、物理的操作子として１つのｃｈストリップノブ３５と、１つのｓｅｌボタン３６と、１つのフェーダ３７を備えており、そのｃｈストリップ３４に割り当てられたｃｈに関するパラメータの値を操作できる。
【００２４】
セレクテッドｃｈ部３２は、複数個（２７個）のセレクテッドｃｈノブ３８を備えており、主に、後述するセレクテッドｃｈ画面５０に表示されたパラメータの操作に使用される。ユーザは、例えばｃｈストリップ部３１のｃｈストリップ３４に備わるｓｅｌボタン３６を用いて、セレクテッドｃｈ部３２及びセレクテッドｃｈ画面５０の操作対象となるｃｈ（セレクテッドｃｈ）を１つ選択できる。また、ユーザノブ部３３は複数個（４個）のユーザノブ３９を備えている。これらのユーザノブ３９は、ユーザが自由にパラメータを割り当てて、割り当て中のパラメータの値を調整できるノブであり、タッチ式ディスプレイ３０に表示する画面に関わりなく自由な使い方ができる。
【００２５】
上記のｃｈストリップノブ３５、セレクテッドｃｈノブ３８及びユーザノブ３９（これらを単に「ノブ」とも表記する）は、それぞれ、つまみ（ノブ）を回転操作する回転式操作子である。ノブ３５、３８、３９の機械的構成や操作検出のための構成は、従来知られる一般的な回転式操作子と同様な、ノブを回転操作でき、且つ、その回転操作に応じた操作量を検出できる構成であれば、どのような構成であってもよい。
【００２６】
タッチ式ディスプレイ３０は、図１の表示器１５に相当するもので、後述のメイン画面４０（図４）やセレクテッドｃｈ画面５０（図５）等の各種画面を表示でき、且つ、各種画面を表示するパネル面の全領域が手指等の接触によるタッチ操作を検出可能なタッチ領域になっている。タッチ式ディスプレイ３０に表示する画面の切り替えは、切り替え指示用のボタン（図示外）の操作等により、ユーザが手動で行う。
【００２７】
メイン画面４０の表示が指示されたとき、ＣＰＵ１０は、ｃｈストリップ部３１の操作対象ｃｈとして選択されている８ｃｈに関するメイン画面４０をタッチ式ディスプレイ３０に表示する。図４は、メイン画面４０の構成例である。メイン画面４０は、ｃｈストリップ部３１の操作対象ｃｈとして選択されている８ｃｈの主要な情報を各種アイコンにより表示し、且つ、それら情報をユーザに調整させる画面である。メイン画面４０には、ｃｈストリップ部３１の８つのｃｈストリップ３４に対応する８つのｃｈ情報表示領域４１が設けられている。
【００２８】
ｃｈ情報表示領域４１には、対応するｃｈストリップ３４に割り当てられたｃｈの情報が表示される。ｃｈ情報表示領域４１の最上段の１つの丸画像４２と、中ほどから下段にかけて２列に並べられた１０個の丸画像４２とは、それぞれ、対応するｃｈストリップ３４に備わるｃｈストリップノブ３５で操作できるパラメータを表すパラメータアイコン４２（パラメータ要素）であり、タッチ操作に応じて当該パラメータアイコン４２のパラメータを、対応するｃｈストリップノブ３５に割り当てるスイッチとして機能する。パラメータアイコン４２が示すパラメータは、例えば、ＨＡゲイン、センドレベル、パンなどである。
【００２９】
また、ｃｈ情報表示領域４１の上段に縦３個並んだ四角画像４３は、それぞれに該当する機能の概要を表示するウィンドウアイコン４３であり、タッチ操作に応じて該当する機能に関するポップアップウィンドウをタッチ式ディスプレイ３０に表示するスイッチとして機能する。ウィンドウアイコン４３が表示する機能は、例えば、イコライザ、コンプレッサ、フィルタ等である。ｃｈ情報表示領域４１には、上記のアイコン４２，４３の他に、機能のオンオフを切り替えるオンオフスイッチアイコン４４（ｃｈ情報表示領域４１の下段の小さい四角画像）や、当該ｃｈ情報表示領域４１に表示中のｃｈのｃｈ番号やｃｈ名を表示する領域４５（ｃｈ情報表示領域４１の最下段）が設けられている。
【００３０】
セレクテッドｃｈ画面５０の表示が指示されたとき、ＣＰＵ１０は、ユーザが操作対象として選択している（ｓｅｌスイッチ３６により選択されている）１つのｃｈに関するセレクテッドｃｈ画面５０をタッチ式ディスプレイ３０に表示する。図５はセレクテッドｃｈ画面５０の構成例である。セレクテッドｃｈ画面５０は、ユーザが操作対象として選択した１つのｃｈの情報を表示し、且つ、これら情報をユーザに調整させる画面である。
【００３１】
セレクテッドｃｈ画面５０には、セレクテッドｃｈ部３２の２７個のセレクテッドｃｈノブ３８に対応するセレクテッドｃｈパラメータアイコン５１（丸画像）が、セレクテッドｃｈ部３２におけるセレクテッドｃｈノブ３８の配置と同じ配置で並べられている。セレクテッドｃｈパラメータアイコン５１は、それぞれ、対応するセレクテッドｃｈノブ３８で操作できるパラメータを表すパラメータアイコン５１（パラメータ要素）であって、タッチ操作に応じて当該パラメータアイコン５１のパラメータを対応するセレクテッドｃｈノブ３８に割り当てるスイッチとして機能する。
【００３２】
画面上段右端に縦３つ並んだ大四角画像５２は、それぞれに該当する機能の概要を表示するウィンドウアイコン５２であり、タッチ操作に応じて該当する機能に関するポップアップウィンドウを表示するスイッチとして機能する。セレクテッドｃｈ画面５０には、上記の他にも、それぞれ対応する機能のオンオフを切り替えるスイッチとして機能するオンオフスイッチアイコン５３（画面下段右端に縦６個並んだ小四角画像）やｃｈ番号やｃｈ名等の各種情報を表示するいくつかの表示部５４が設けられている。
【００３３】
ユーザは、上述したメイン画面４０やセレクテッドｃｈ画面５０上の所望の箇所（パラメータアイコン等）をタッチ操作して、当該タッチ操作した箇所に該当する指示を入力できる。図６は、タッチ式ディスプレイ３０へのタッチ操作を検出したときに、ＣＰＵ１０が当該タッチ操作を処理対象として起動して、実行する処理のフローチャートである。
【００３４】
ステップＳ１において、ＣＰＵ１０は、今回タッチ操作された箇所を特定し、特定された箇所に該当する処理を実行する。例えば、パラメータアイコン４２，５１がタッチ操作された場合、ＣＰＵ１０は、当該パラメータアイコンを選択して、当該パラメータアイコンが表すパラメータを操作パネルのノブに割り当てる。また、ウィンドウアイコン４３，５２がタッチされた場合は、当該ウィンドウアイコンを選択して、そのアイコンに相当するポップアップ画面を開く。
【００３５】
当該ステップＳ１によるパラメータ割り当て処理を具体的に説明する。例えば、メイン画面４０のパラメータアイコン４２がタッチ操作されたとき、当該パラメータアイコン４２が属するｃｈ情報表示領域４１に対応するｃｈストリップ３４に備わるｃｈストリップノブ３５とユーザノブ３９とに、当該パラメータアイコン４２が表すパラメータを割り当てる。また、セレクテッドｃｈ画面５０のパラメータアイコン５１がタッチ操作されたときは、当該パラメータアイコン５１に対応するセレクテッドｃｈノブ３８とユーザノブ３９とに、当該パラメータアイコン５１が表すパラメータを割り当てる。なお、この実施例では、上記の通りパラメータアイコン４２，５１の操作に応じて、ユーザノブ３９にもパラメータを割り当てるよう構成されている。その際にｍ４つのユーザノブ３９のうちいずれにパラメータを割り当てるかは、適宜のルールに従い自動的に決定されてもよいし、或いは、ユーザが指定できてもよい。
【００３６】
上記の処理により、ユーザは、タッチ式ディスプレイ３０の画面上で選択したパラメータアイコンが表すパラメータの値を、ｃｈストリップノブ３５、セレクテッドｃｈノブ３８又はユーザノブ３９を使って、調整できるようになる。
【００３７】
図７は、操作パネル上でノブが操作されたときに、ＣＰＵ１０が実行する処理のフローチャートである。ｃｈストリップノブ３５、セレクテッドｃｈノブ３８又はユーザノブ３９のいずれかが操作されたとき、ＣＰＵ１０は、今回操作されたノブ３５、３８又は３９の操作量を検出するとともに、且つ、そのノブを処理対象として図７の処理を起動する。なお、ＣＰＵ１０が検出する操作量は、ノブの操作位置（ノブの可動範囲における絶対的な位置）を示すデータでもよいし、或いは、ノブの操作状態の相対的な変化量を示すデータでもよい。また、そのデータは、ノブの回転操作状態の変化に追従して連続変化する操作量を表すものであれば、例えば回転位置（角度）、速度、加速度等、どのような物理量であってもよい。
【００３８】
ステップＳ２において、ＣＰＵ１０は、今回操作されたノブ（処理対象のノブ）の操作対象として割り当てられているパラメータを確認し、当該確認したパラメータに該当するパラメータアイコンが、タッチ式ディスプレイ３０において現在タッチ操作中か否かを確認する。具体的には、タッチ操作中のアイコンの有無を確認し、タッチ操作中のアイコンがある場合には、今回操作された処理対象のノブに割り当てられているパラメータを確認するとともに、該処理対象のノブに割り当てられているパラメータと、タッチ操作中のアイコンに該当するパラメータとが一致するか否かを確認する。なお、タッチ操作中とは、手指等によるディスプレイ３０へのタッチ操作が継続している状態、すなわち画面上の当該アイコン等の箇所から手指等を離さずにいることをいう。
【００３９】
処理対象のノブに割り当てられているパラメータと、タッチ操作中のアイコンに該当するパラメータとが一致する場合、つまり、今回操作されたノブの操作対象のパラメータに該当するパラメータアイコンをタッチ操作中の場合、ＣＰＵ１０はステップＳ３をＹＥＳに分岐する。ステップＳ４において、ＣＰＵ１０は、第１分解能に従って、今回検出されたノブの操作量に基づくパラメータの値の調整量を決定し、決定した調整量に応じて、カレントメモリに記憶されている当該操作対象のパラメータの値を調整する。
【００４０】
一方、タッチ式ディスプレイ３０においてタッチ操作中のアイコンが無い場合、若しくは、タッチ操作中のアイコンに該当するパラメータと、処理対象のノブに割り当てられているパラメータとが不一致の場合、要するに、今回操作されたノブの操作対象のパラメータに該当するパラメータアイコンがタッチされていない場合、ＣＰＵ１０はステップＳ３をＮＯに分岐する。ステップＳ５において、ＣＰＵ１０は、第２分解能に従って今回検出したノブの物理的な操作量に基づくパラメータの値の調整量を決定し、決定した調整量に応じて、カレントメモリに記憶されている当該操作対象のパラメータの値を調整する。なお、前記ステップＳ２において、確認する「今回操作されたノブ（処理対象のノブ）の操作対象として割り当てられているパラメータ」、及び、前記ステップＳ４及びＳ５にて調整する「ノブの操作対象のパラメータ（処理対象のノブに割り当てられているパラメータ）」は、詳細には、操作対象のｃｈと、操作対象のパラメータの種類との組み合わせにより特定されるパラメータである。
【００４１】
この実施例において、第１分解能は、第２分解能に比べて、検出されたノブの操作量に対してパラメータの値の調整量を細かく変更（設定）する微調整用の分解能であり、他方、第２分解能は、第１分解能に比べて、ノブの操作量に対してパラメータの値の調整量を粗く変更（設定）する粗調整用の分解能である。より具体的な一例として、微調整用の第１分解能は「通常調整」の分解能に比べて細かい分解能であり、粗調整用の第２分解能は「通常調整」用の分解能である。この構成によれば、ユーザは、タッチ式ディスプレイ３０の画面上でノブ３５、３８又は３９の操作対象のパラメータに該当するパラメータアイコン４２又は５１をタッチ操作しつつ、そのノブを操作するだけで、当該パラメータの値を通常よりも細かい第１分解能で微調整できる。他方、ユーザは、ノブ３５、３８又は３９の操作対象のパラメータに該当するパラメータアイコン４２又は５１をタッチ操作せずに、そのノブを操作すれば（つまり、通常通り、パラメータアイコンのタッチ操作を行わずに、ノブの操作だけを行えば）、当該パラメータの値を第２分解能で粗調整（通常調整）できる。
【００４２】
以上説明した実施例の構成によれば、特殊な構成要素（例えばプッシュ式のノブや、分解能切り替え用スイッチなど）を設けなくてよいので、格別のコストをかけることなしに、第１分解能と第２分解能とを使い分けて、パラメータの値を調整できるようになる。且つ、第１分解能と第２分解能との使い分けを、該当するパラメータアイコンをタッチ操作したままノブを操作するか否かというシンプルで、感覚的にわかりやすい方法で行うことができる。
【００４３】
更に、パラメータアイコンのタッチ操作しつつノブを操作することで当該パラメータを微調整できる構成は、そのパラメータの値を微調整するという明りょうな意図と注意力・集中力とをユーザに喚起しやすいという点で、ユーザにとって感覚的にわかりやすく、微調整用の操作方法として好適である。また、この構成によれば、特に、ノブに対するパラメータ割り当てと、そのノブを用いたパラメータの値の調整操作という一連の操作の流れにおいて、極めて自然に微調整用の第１分解能を指定する動作を行うことができるという点で、ユーザにとって感覚的にわかりやすく、優れている。例えば、先ずノブにパラメータを割り当てるためにパラメータアイコンをタッチし、次にそのタッチを維持したまま、そのノブを操作するという一連の操作の流れにより、当該パラメータの値を微調整できるようになる。
【００４４】
なお、上記の実施例では、処理対象のノブの操作対象として割り当てられているパラメータに該当するパラメータアイコンがタッチ操作中の場合、微調整用の第１分解能を使い、他方、該パラメータアイコンがタッチ操作中でない場合、粗調整用（通常調整用）の第２分解能を使う構成としたが、それとは反対に、該パラメータアイコンがタッチ操作中の場合、粗調整用（通常調整用）の第２分解能を使い、他方、該パラメータアイコンがタッチ操作中でない場合、微調整用の第１分解能を使う構成でもよい。
【００４５】
また、上記の実施例では、回転操作されるノブ３５，３８，３９を用いたパラメータの値の調整に、本願発明のパラメータ調整装置を適用する構成を説明したが、本願発明は、回転式ノブ操作に限らず、フェーダ、スイッチ、ホイール、リボン・コントローラー、タッチパッドなど、どのような形態の操作子に適用してもよい。本願発明に好適な操作子は、ノブやフェーダ等のような連続可変タイプの操作子であって、操作子の操作状態の連続変化に追従してパラメータの値を連続的に変化させるものである。
【符号の説明】
【００４６】
１  デジタルオーディオミキサ、１０  ＣＰＵ、１１  フラッシュメモリ、１２  ＲＡＭ、１３  波形Ｉ／Ｏ、１４  信号処理部、１５  表示器、１６  操作子、１７  その他Ｉ／Ｏ、２０  アナログ入力部、２１  デジタル入力部、２２  入力パッチ部、２３  入力チャンネル部、２４  バス部、２５  出力チャンネル、２６  出力パッチ部、２７  アナログ出力部、２８  デジタル出力部、３０  タッチ式ディスプレイ、３１  チャンネルストリップ部、３２  セレクテッドチャンネル部、３３  ユーザノブ部、３４  チャンネルストリップ、３５  チャンネルストリップノブ、３６  ｓｅｌボタン、３７  フェーダ、３８  セレクテッドチャンネルノブ、３９  ユーザノブ、４０  メイン画面、４１  ｃｈ情報表示領域、４２  パラメータアイコン、４３  ウィンドウアイコン、４４  オンオフスイッチアイコン、５０  セレクテッドチャンネル画面、５１  パラメータアイコン、５２  ウィンドウアイコン、５３  オンオフスイッチアイコン
【図１】
2013162175.tif 000003
【図２】
2013162175.tif 000004
【図３】
2013162175.tif 000005
【図４】
2013162175.tif 000006
【図５】
2013162175.tif 000007
【図６】
2013162175.tif 000008
【図７】
2013162175.tif 000009